(57)【要約】【課題】ユーザによる操作の正確性に依存せずに、タッチパネルのキャリブレーションを正確に行うことができる技術を実現する。【解決手段】情報処理装置は、タッチパネルが設けられ、少なくとも開状態と収納状態との間で開閉可能に他の筺体に取り付けられた表示部と、ユーザの操作によって前記タッチパネルに接触した位置の座標を検出する位置検出部と、前記位置検出部により検出された前記タッチパネルの位置に割り当てられた操作を実行する制御部と、前記収納状態において前記タッチパネルに接触するように前記他の筺体に突設された接触部を有し、前記収納状態において前記タッチパネルが当該接触部に接触した状態において、当該接触部の位置を基準として前記タッチパネルと前記表示部の位置ズレを補正するキャリブレーションを行う補正手段と、を有する。【選択図】図１
2011221582.tif 000002
【特許請求の範囲】
【請求項１】
タッチパネルが設けられ、少なくとも開状態と収納状態との間で開閉可能に他の筺体に取り付けられた表示部と、
ユーザの操作によって前記タッチパネルに接触した位置の座標を検出する位置検出部と、
前記位置検出部により検出された前記タッチパネルの位置に割り当てられた操作を実行する制御部と、
前記収納状態において前記タッチパネルに接触するように前記他の筺体に突設された接触部を有し、前記収納状態において前記タッチパネルが当該接触部に接触した状態において、当該接触部の位置を基準として前記タッチパネルと前記表示部の位置ズレを補正するキャリブレーションを行う補正手段と、を有することを特徴とする情報処理装置。
【請求項２】
前記補正手段は、前記接触部の位置を基準として前記タッチパネルの位置の水平方向及び垂直方向のズレ量を算出し、算出したズレ量を補正量として前記キャリブレーションを行うことを特徴とする請求項１に記載の情報処理装置。
【請求項３】
前記情報処理装置の電源スイッチの操作を検出する検出手段を更に有し、
前記補正手段は、前記電源スイッチをオフする操作が検出された場合、前記情報処理装置の電源をオフする処理を開始する前に、前記タッチパネルが前記収納状態にあり且つ前記接触部に接触した状態ならば、前記キャリブレーションを行うことを特徴とする請求項１又は２に記載の情報処理装置。
【請求項４】
前回のキャリブレーションが終了してからの時間を計時する計時手段を更に有し、
前記補正手段は、前記電源スイッチをオフする操作が検出され、前記タッチパネルが前記収納状態にあり、且つ前記接触部に接触した状態であって、前記計時手段により計時された経過時間が所定時間以上であるならば、前記キャリブレーションを行うことを特徴とする請求項３に記載の情報処理装置。
【請求項５】
前記情報処理装置の電源をオフする処理が終了してからの時間を計時する計時手段と、
前記検出手段により検出された電源スイッチの操作に応じて、前記情報処理装置への給電を制御する電源制御手段と、を更に有し、
前記補正手段は、前記電源がオフされた状態において前記計時手段により計時された経過時間が所定時間以上で、前記タッチパネルが前記収納状態にあり、且つ前記接触部に接触した状態ならば、前記キャリブレーションを行うことを特徴とする請求項３に記載の情報処理装置。
【請求項６】
前記検出手段により検出された電源スイッチの操作に応じて、前記情報処理装置への給電を制御する電源制御手段を更に有し、
前記電源制御手段は、前記補正手段によるキャリブレーションが終了した後、又は前記電源スイッチをオフする操作が検出されたが、前記タッチパネルが前記接触部に接触していない状態で所定時間が経過したときに、前記情報処理装置の電源をオフする処理を開始することを特徴とする請求項３に記載の情報処理装置。
【請求項７】
前記電源制御手段は、前記補正手段がキャリブレーションを実行するために必要な構成にのみ給電を行い、それ以外の構成への給電を停止することを特徴とする請求項５または６に記載の情報処理装置。
【請求項８】
前記計時手段は、前記情報処理装置の経時変化及び使用環境の少なくともいずれかと前記所定時間との関係が定められたテーブルを有し、当該テーブルを参照することで前記所定時間を決定することを特徴とする請求項４又は５に記載の情報処理装置。
【請求項９】
タッチパネルが設けられ、少なくとも開状態と収納状態との間で開閉可能に他の筺体に取り付けられた表示部と、ユーザの操作によって前記タッチパネルに接触した位置の座標を検出する位置検出部と、前記位置検出部により検出された前記タッチパネルの位置に割り当てられた操作を実行する制御部と、を有する情報処理装置のキャリブレーション方法であって、
前記情報処理装置の補正手段が、前記収納状態において前記タッチパネルが前記他の筺体に突設された接触部に接触した状態で、当該接触部の位置を基準として前記タッチパネルと前記表示部の位置ズレを補正するキャリブレーションを行うことを特徴とするキャリブレーション方法。
【請求項１０】
コンピュータを、請求項１乃至８のいずれか１項に記載の情報処理装置の各手段として機能させるプログラム。
【請求項１１】
コンピュータを、請求項１乃至８のいずれか１項に記載の情報処理装置の各手段として機能させるプログラムを記憶したコンピュータにより読み取り可能な記憶媒体。
【発明の詳細な説明】
【技術分野】
【０００１】
本発明は、タッチパネルのキャリブレーションを行う技術に関するものである。
【背景技術】
【０００２】
近年、情報通信機器や業務用端末市場の拡大に伴い、タッチパネルの需要が急拡大している。タッチパネルは、液晶パネルなどの表示装置上にタッチパッドなどの位置入力装置が貼り付けられて構成され、画面上の表示に触れることで操作できるため、ＰＤＡ（Ｐｅｒｓｏｎａｌ Ｄｉｇｉｔａｌ Ａｓｓｉｓｔａｎｔ）などの携帯端末に好適である。また、タッチパネルの中でも、ＰＤＡから業務用コンピュータやパーソナルコンピュータに至るまで容易に制御かつ操作できる抵抗膜方式のタッチパネルの需要が拡大している。
【０００３】
通常、タッチパネルは、表示装置の画面上の表示と連動してユーザが操作可能になっているが、これにはタッチパネルと画面とを正確な位置関係で配置する必要がある。このため、タッチパネルの入力位置座標を表示装置の画面との位置関係に基づいて補正する処理（以下、キャリブレーション）が一般に行われている。キャリブレーションは、ユーザの操作により行われるのが一般的であり、ユーザは、表示装置が搭載された機器の入力装置等を操作してキャリブレーションモードを設定する。キャリブレーションモードが設定されると、機器は先ず表示装置の画面上に押下位置を表示し、ユーザは表示装置に表示された押下位置を押下する。機器は、ユーザにより押下されたタッチパネル上の座標情報と表示装置の画面に対する押下位置とを比較し、タッチパネル上の座標情報と表示装置の画面に対する押下位置とが一致するような補正値を求め、補正値によってタッチパネルの座標情報を補正する。
【０００４】
例えば、ユーザの操作により正確にキャリブレーションを行うための技術が特許文献１に記載されている。特許文献１では、表示装置の画面の中心を接触位置として表示し、この接触位置に対してユーザがタッチパネルを接触指示すると物理座標データが出力される。そして、この物理座標データを新たな基準位置データに基づいて座標変換して得られた論理座標データが許容範囲以内にあるか否かを判定し、論理座標データが許容範囲外であると判定した場合に、再度キャリブレーションを行うものである。
【先行技術文献】
【特許文献】
【０００５】
【特許文献１】特開平１０−１１６１５５号公報
【発明の概要】
【発明が解決しようとする課題】
【０００６】
しかしながら、上述した従来のタッチパネルと表示装置とのキャリブレーションは、ユーザが特別な操作を行う必要があり、また、ユーザが正確に接触位置にタッチしないと正確なキャリブレーションを行うことができない。
【０００７】
本発明は、上記課題に鑑みてなされ、その目的は、ユーザによる操作の正確性に依存せずに、タッチパネルのキャリブレーションを正確に行うことができる技術を実現することである。
【課題を解決するための手段】
【０００８】
上記課題を解決し、目的を達成するために、本発明の情報処理装置は、タッチパネルが設けられ、少なくとも開状態と収納状態との間で開閉可能に他の筺体に取り付けられた表示部と、ユーザの操作によって前記タッチパネルに接触した位置の座標を検出する位置検出部と、前記位置検出部により検出された前記タッチパネルの位置に割り当てられた操作を実行する制御部と、前記収納状態において前記タッチパネルに接触するように前記他の筺体に突設された接触部を有し、前記収納状態において前記タッチパネルが当該接触部に接触した状態において、当該接触部の位置を基準として前記タッチパネルと前記表示部の位置ズレを補正するキャリブレーションを行う補正手段と、を有する。
【発明の効果】
【０００９】
本発明によれば、ユーザによる操作の正確性に依存せずに、タッチパネルのキャリブレーションを正確に行うことができる技術を実現することである。
【図面の簡単な説明】
【００１０】
【図１】本発明に係る実施形態のカメラであって、表示部が開状態の外観図（ａ）及び収納状態の外観図（ｂ）。
【図２】本実施形態のカメラの機能ブロック図。
【図３】本実施形態のカメラによる電源オフ時の特徴的な動作を示すフローチャート。
【図４】図３のキャリブレーション処理を示すフローチャート。
【図５】本実施形態のカメラによる電源オフ時の特徴的な動作を示すフローチャート。
【図６】実施形態２による電源オフ時の特徴的な動作を示すフローチャート。
【発明を実施するための形態】
【００１１】
以下に、添付図面を参照して本発明の実施の形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。
【００１２】
［実施形態１］先ず、図１及び図２を参照して、本発明の情報処理装置を適用した実施形態のデジタルカメラの構成について説明する。図１において、カメラ本体部１００の上面には、主電源をオン／オフするための電源スイッチ１０２、半押しでＡＦ（オートフォーカス）処理等の撮影準備動作、全押しで画像データを記憶する露光処理等の撮影動作を行うレリーズスイッチ１０３が設けられる。
【００１３】
また、カメラ本体部１００の背面には、撮影画像、シャッタ速度、絞り数値、撮影枚数或はメニュー等を表示する抵抗膜式タッチパネル付き表示部１０４が設けられている。表示部１０４は、不図示のヒンジを介してカメラ本体部１００に回動可能に取り付けられたバリアングル機能付きパネルであり、少なくとも全開位置と全閉位置の間の任意の角度で開閉可能である。全開位置は、表示部１０４の入力領域（図示のＡを取り囲む部分であって、ユーザのタッチ操作を検出可能な領域）がカメラ本体部１００に遮られることなく視認可能な開状態（図１に示す状態）である。全閉位置とは、表示部１０４の入力領域がカメラ本体部１００に対面した収納状態（図１（ｂ）に示す状態）である。その他の状態として、全開位置において表示部１０４を上下に回動させて反転させることで、表示部１０４の入力領域がカメラ本体部１００の前面側に向いた状態（反転状態）や反転状態から全閉位置に回動させた状態（反転収納状態）にもできる。表示部１０４がカメラ本体部１００に対してどのような状態（姿勢）となっているかは、後述する位置検出部２０７によって検出可能である。
【００１４】
接触部１０５は、表示部１０４を収納状態として、表示部１０４の入力領域と接触する突起部が突設されている。１０６は、表示部１０４の入力領域にカメラ本体部１００の各種設定や動作モードを選択するするためのメニューを表示するためのメニューキーである。１０７は、メニューの選択や決定のための操作を行う十字キーである。
【００１５】
次に、図２を参照して、図１に示すデジタルカメラの機能ブロックについて説明する。図２において、２０１は、カメラ全体を制御するＣＰＵ（Ｃｅｎｔｒａｌ Ｐｒｏｃｅｓｓｉｎｇ Ｕｎｉｔ）である。２０２は、カメラ本体部１００が各種動作を行うための電源を供給する電源供給部である。２０３は、被写体像を光電変換して画像を撮像するためのＣＣＤやＣＭＯＳ等の撮像素子や撮像素子の駆動回路等を含む撮像部である。２０４は、撮像部２０３によって撮像した画像データに対して画像処理を実行する画像処理部である。２０５は、画像処理が施された画像データを記憶するハードディスクやメモリカード等の記憶部である。２０６は、図１の表示部１０４に設けられ、撮像した画像の表示やカメラ本体部１００の状態を外部に報知するための表示パネルである。
【００１６】
２０７は、表示パネル２０６の位置（姿勢）を検出する位置検出部であり、表示部１０４の開閉を検出する開閉検出スイッチ２０７ａ、表示部１０４の回動角度を検出するアングル検出スイッチ２０７ｂを備える。２０８は、表示パネル２０６に積層して貼り付けられた抵抗膜式タッチパネルである。２０９は、カメラ本体部１００に対してユーザが操作を行うための操作部である。２１０は、不図示のバックアップ電池を搭載することで、前回のキャリブレーション処理時からの時間を計時し、所定時間経過後に再度キャリブレーションを促すタイマー機能を有するリアルタイムクロックである。リアルタイムクロック２１０は、不図示のバックアップ電池から常に電源が供給されており、カメラ本体部１００の主電源がオフであっても計時を行っている。２１１は、カメラ本体部１００の電源スイッチ１０２からの操作信号及びリアルタイムクロック２１０からのキャリブレーション要求により主電源を立ち上げるための電源制御部である。ＲＡＭ２１２はＣＰＵ２０１のワークエリアとして使用される揮発性メモリであり、ＲＯＭ２１３は後述するフローチャートを実現するためのプログラムが格納された不揮発性メモリである。
【００１７】
なお、図２では省略されているが、ＣＰＵ２０１には、画像の撮影や再生に必要とされる各種の回路がさらに接続されている。
【００１８】
＜カメラの動作＞次に、図３を参照して、本実施形態のカメラによる電源オフ時の特徴的な動作について説明する。本実施形態では、カメラ本体部１００の電源オフ時に、表示部１０４の位置（姿勢）を検出し、収納状態で接触部１０５がタッチパネル２０８に接触している場合に自動的にキャリブレーションを実行する。なお、以下の処理は、ＣＰＵ２０１が、図３のフローを実行するためのプログラムをＲＯＭ２１３からＲＡＭ２１２へ読み込んで実行し、図２で述べた各機能ブロックを制御することにより実現される。
【００１９】
図３において、Ｓ３０１では、、ＣＰＵ２０１は、ユーザがカメラ本体部１００の電源スイッチ１０２を操作して電源オフを行ったか判定する。電源オフされていない場合、Ｓ３０２に進み、電源オフ操作が行われるまで現状動作を継続する。一方、Ｓ３０１にて電源オフ操作が行われた場合、Ｓ３０３に進み、ＣＰＵ２０１は、位置検出部２０７から表示部１０４の開閉角度や回動角度等の位置情報（ヒンジの状態）を取得する。
【００２０】
次に、Ｓ３０４では、ＣＰＵ２０１は、Ｓ３０３で取得した表示部１０４の位置情報に応じて、開閉検出スイッチ２０７ａが「全閉」を検出し、かつ、アングル検出スイッチ２０７ｂが０°を検出しているか否かを判定する。ここでは、表示部１０４が収納状態（図１（ｂ）の状態）であるか否かを判定している。なお、表示部１０４が反転収納状態の場合には開閉検出スイッチ２０７ａは「全閉」を検出するので、開閉検出スイッチ２０７ａの検出結果だけでは表示部１０４が収納状態にあるのか否かを判定できない。そのため、アングル検出スイッチ２０７ｂの検出結果を組み合わせて判定を行う。アングル検出スイッチ２０７ｂが０°を検出している場合とは、表示部１０４が反転していない状態を示している。
【００２１】
Ｓ３０４で表示部１０４が収納状態ではないと判定されると、ＣＰＵ２０１は、Ｓ３０５で所定時間待機した後、Ｓ３０６に進み、電源オフ操作後のＳ３０５での待機回数を判定する。Ｓ３０６で、待機回数が所定回数以下の場合、Ｓ３０３及びＳ３０４での処理を繰り返し実行する一方、待機回数が所定回数を超えた場合、Ｓ３１１に進み、ＣＰＵ２０１は、電源オフシーケンスを開始し、Ｓ３１２にて電源オフを実行し、本処理を終了する。
【００２２】
次に、ＣＰＵ２０１は、Ｓ３０４で表示部１０４が収納状態、すなわち開閉検出スイッチ２０７ａが「全閉」を検出し、かつアングル検出スイッチ２０７ｂが０°を検出している場合、Ｓ３０７に進む。Ｓ３０７では、ＣＰＵ２０１は、タッチパネル２０８に接触部１０５が接触したか検出を開始し、Ｓ３０８にてタッチパネル２０８に接触部１０５が接触していない場合、Ｓ３０５に進む。一方、タッチパネル２０８に接触部１０５が接触していると判定すると、Ｓ３０９へ進み、図４で後述するキャリブレーションを開始すると共に、Ｓ３１０にてキャリブレーションが終了したと判定されるまで、キャリブレーションを継続する。そして、Ｓ３１０にてキャリブレーションが終了したと判定されると、Ｓ３１１に進み、電源オフシーケンスを開始し、Ｓ３１２にて電源オフを実行し、本処理を終了する。
【００２３】
上述した実施形態では、電源オフ操作が行われるとキャリブレーションを実行してから電源オフシーケンスを実行している。これに対して、電源オフ操作後、先ずキャリブレーション実行のために必要な構成以外への給電を停止し、キャリブレーション終了後に全ての給電を停止してもよい。また、上述したＳ３０３〜Ｓ３１０での処理は、電源オフ操作時に限らず、カメラ本体部の起動中に実行してもよい。
【００２４】
＜キャリブレーション処理＞次に、図４を参照して、図３のＳ３０９及びＳ３１０でのキャリブレーション処理について説明する。図４において、ＣＰＵ２０１は、Ｓ３０８にてタッチパネル２０８に接触部１０５が接触していると判定された場合に、Ｓ４０１にてタッチパネル２０８の水平方向（Ｘ方向）の座標Ｘａを検出する。また、ＣＰＵ２０１は、Ｓ４０２にてＲＯＭ２１３に記憶されている接触部１０５の座標ＸＡを基準としてタッチパネル２０８の座標Ｘａのズレ量を補正量ΔＸとして下記式１から算出する。
【００２５】
ΔＸ（Ｘ方向の補正量）＝ＸＡ（接触部１０５の座標）−Ｘａ（検出されたタッチパネル２０８の座標）・・・（１）
同様にして、Ｓ４０３にてタッチパネル２０８の垂直方向（Ｙ方向）の座標Ｙａを検出し、Ｓ４０４にてＲＯＭ２１３に記憶されている接触部１０５の座標ＹＡを基準としてタッチパネル２０８の座標Ｙａとのズレ量を補正量ΔＹとして下記式２から算出する。
【００２６】
ΔＹ（Ｙ方向の補正量）＝ＹＡ（接触部１０５の座標）−Ｙａ（検出されたタッチパネル２０８の座標）・・・（２）
そして、Ｓ４０５にて、上記式１及び式２により算出した補正量ΔＸ、ΔＹをＲＯＭ２１３に書き込み、ＣＰＵ２０１は、算出された補正量ΔＸ、ΔＹに基づいてタッチパネルと表示部の位置ズレを補正するキャリブレーションを実行する。
【００２７】
上記実施形態１によれば、ユーザがキャリブレーションのための特別な操作を行うことなく自動的にキャリブレーションを実行することができる。また、カメラ本体部１００に固定的に設けられた接触部１０５の位置を基準として常に正確な位置でキャリブレーションを行うので、ユーザによる操作の正確性に依存せずに、タッチパネルのキャリブレーションを正確に行うことができる。
【００２８】
［実施形態２］次に、実施形態２として、前回のキャリブレーションが終了してから所定時間経過した場合にのみ自動でキャリブレーションを行う例について説明する。図５は、実施形態２による電源オフ時の特徴的な動作を示すフローチャートであるが、図５のＳ５０１〜Ｓ５０８とＳ５１１〜Ｓ５１４は、図３のＳ３０１〜Ｓ３０８とＳ３０９〜Ｓ３１２と同様の処理であるため説明を省略する。
【００２９】
図５において、Ｓ５０８にてタッチパネル２０８に接触部１０５が接触している場合、Ｓ５０９に進み、ＣＰＵ２０１は、前回キャリブレーションが終了してからの時間をリアルタイムクロック２１０のタイマー機能により算出する。そして、Ｓ５１０にて、前回のキャリブレーションが終了してから所定時間以上が経過したならば、ＣＰＵ２０１は、最後のキャリブレーションから所定時間が経過し、再度キャリブレーションを行うべきタイミングであると判定する。そして、ＣＰＵ２０１は、Ｓ５１１でキャリブレーションを開始する。ここで、所定時間は、経時変化（出荷時からの経過時間）や使用環境（前回のキャリブレーション時に対する温度変化；但し、これを考慮する場合にはカメラに温度検出センサを搭載する必要がある）などの条件ごとにＲＯＭ２１３のテーブルに格納されている。なお、経時変化や使用環境などの関係を定めたテーブルデータは予めＲＯＭ２１３に格納されたものだけでなく、ユーザが任意に設定しても良いし、経時変化や使用環境等によらず一定の時間としても良い。
【００３０】
本実施形態でも、電源オフ操作が行われると、キャリブレーションを実行してから電源をオフしているが、電源オフ操作後、キャリブレーションを実行するために必要な構成以外への給電をオフし、キャリブレーション終了後に全ての給電をオフしてもよい。
【００３１】
上記実施形態２によれば、不必要にキャリブレーションを行うことがなく、また、電源オフ時に常にキャリブレーションを行わないので、電源オフ操作後、速やかにデジタルカメラをケースやカバンに収納したり、速やかに再起動して使用することが可能である。
【００３２】
［実施形態３］次に、実施形態３について説明する。前述した実施形態では、電源オフ操作が行われるとキャリブレーションを実行してから電源オフシーケンスを実行していた。これに対して、実施形態３は、電源オフの状態（デジタルカメラの不使用状態）の経過時間が所定時間以上となると自動でキャリブレーションを行う例である。
【００３３】
図６は、実施形態３による電源オフ状態での特徴的な動作を示すフローチャートであるが、図６のＳ６０５〜Ｓ６１４は、図３のＳ３０３〜Ｓ３１２と同様の処理であるため説明を省略する。図６において、リアルタイムクロック２１０はタイマー機能により、Ｓ６１５でカメラ本体部１００の電源をオフした後の時間を計時している。そして、Ｓ６０２、Ｓ６０３にて、リアルタイムクロック２１０のタイマーが所定時間以上となったならば、リアルタイムクロック２１０はＣＰＵ２０１へ起動信号を出力する。このとき、ＣＰＵ２０１は、電源制御部２１１を制御してキャリブレーションに必要な構成（ＣＰＵ２０１、位置検出部２０７、タッチパネル２０８など）だけに給電を行うように電源供給部２０２の立ち上げを行う。その後、Ｓ６０５以降の処理を実行する。
【００３４】
上記実施形態３によれば、デジタルカメラの電源がオフされて不使用状態のときに自動的にキャリブレーションを行う。これにより、例えば電源オフの処理中のキャリブレーションに係る処理時間やデジタルカメラを使用するため電源をオン後にキャリブレーションに係る処理時間によってユーザを待たせることがない。
【００３５】
なお、上述した各実施形態においては、表示部１０４がカメラ本体部１００に対してヒンジを介して回動可能となっていたが、これに限られない。例えば、少なくとも表示部１０４のタッチパネル２０８がカメラ本体部１００の接触部１０５に接触するような収納状態と、表示部１０４がカメラ本体部１００に遮られることなく視認可能な全開位置との間で変位可能な構成であれば本発明を適用可能である。従って、表示部１０４をカメラ本体部１００に対してスライドさせることで開閉可能として構成であっても本発明を適用可能である。また、表示部１０４とカメラ本体部１００が着脱可能とされ、一旦取り外すことで開状態や収納状態とするものにも本発明を適用可能である。
【００３６】
なお、ＣＰＵ２０１での制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００３７】
また、上述した実施形態においては、本発明をデジタルカメラに適用した場合を例にして説明したが、これに限定されない。すなわち、本発明は、表示部が折り畳みやスライドが可能な表示部（タッチパネル）を有する他の電子機器にも適用可能である。例えば、本発明は、パーソナルコンピュータ、ＰＤＡ、携帯電話、携帯ゲーム機、携帯型の画像ビューワ、プリンタ装置に設けられた印刷画像選択および確認のためのディスプレイ、デジタルフォトフレームなどに適用可能である。
【００３８】
また、本実施形態では、ＣＰＵを搭載する本体部に開閉可能に設けられた表示部にタッチパネルが設けられた構成を説明したが、本発明は、携帯ゲーム機のようにＣＰＵを搭載した本体部側（他の筺体）にタッチパネルが設けられた機器にも適用可能である。
【００３９】
［他の実施形態］また、本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、および該プログラムを記憶した記憶媒体は本発明を構成することになる。
【図１】
2011221582.tif 000003
【図２】
2011221582.tif 000004
【図３】
2011221582.tif 000005
【図４】
2011221582.tif 000006
【図５】
2011221582.tif 000007
【図６】
2011221582.tif 000008